(57)【特許請求の範囲】
【請求項１】
コンベヤベルトに付着しやすい搬送物等を搬送し、下部搬送部に続き、立上り屈曲部を経て急傾斜で立ち上がる傾斜部を有しているベルトコンベヤであって、
前記コンベヤベルトの搬送面側の両側縁部に、断面山型のガイド部材が、ベルト長さ方向に連続して設けられており、前記立上り屈曲部の両側のフレームに、前記ガイド部材の上面に当接するように押さえローラが取り付けられ、
前記下部搬送部と傾斜部との両側にあって、少なくとも前記立上り屈曲部近傍のフレームに、前記ガイド部材の内側斜面に当接するようにガイドローラが取り付けられるとともに、前記コンベヤベルトを挟んで、前記ガイドローラの反対側に、前記コンベヤベルトの裏面に当接するベルト支持部材が取り付けられていることを特徴としているベルトコンベヤ。
【請求項２】
前記コンベヤベルトの搬送面であって、両側の前記ガイド部材の間に、前記コンベヤベルト幅方向の横桟が、前記コンベヤベルトの長さ方向に所定の間隔で複数設けられていることを特徴としている請求項１記載のベルトコンベヤ。
【請求項３】
前記押さえローラの外周面が平坦に形成されていることを特徴としている請求項１または２記載のベルトコンベヤ。
【請求項４】
金属材料よりなる前記押さえローラまたは記ガイドローラの少なくとも一方の外周面に、合成樹脂が被覆されていることを特徴としている請求項１，２または３記載のベルトコンベヤ。
【請求項５】
非導電性材料よりなる前記押さえローラまたは前記ガイドローラを用いる場合であって、その外周面に、導電性樹脂が被覆されていることを特徴としている請求項１〜４のいずれかに記載のベルトコンベヤ。
【請求項６】
前記ベルトコンベヤが、フレーク状に破砕されたプラスチック成形品を搬送するものであることを特徴としている請求項１〜５のいずれかに記載のベルトコンベヤ。
【発明の詳細な説明】
【０００１】
【発明の属する技術分野】
フレーク状に破砕されたプラスチック成形品等のコンベヤベルトに付着しやすい搬送物等を搬送し、下部搬送部に続き、立上り屈曲部を経て急傾斜で立ち上がる傾斜部を有しているベルトコンベヤであって、前記立上がり屈曲部で、コンベヤベルト（以下、ベルトともいう）の縁部を傷めることなく、前記ベルトの浮き上がりを防止することができ、且つ、前記ベルトを、蛇行することなく走行させることができるベルトコンベヤに関する。
【０００２】
【従来の技術】
従来、下部搬送部に続き、立上り屈曲部を経て急傾斜で立ち上がる傾斜部を有しているベルトコンベヤは、前記立上がり屈曲部でのベルトの浮き上がりを防止するため、前記立上り屈曲部に、前記ベルトを搬送面側から押さえ付ける押さえプーリが設けられている。
【０００３】
この押さえプーリは、一対の円盤状のプーリ本体を有しており、前記立上り屈曲部の両側のフレームに、プーリ軸の両端部が回転可能に支持されているものである。
【０００４】
そして、前記一対のプーリ本体の外周面で、前記ベルトの搬送面側の両側縁部を押すことにより、前記立上り屈曲部での前記ベルトの浮き上がりを防止している。
【０００５】
また、前記ベルトの蛇行を制御する手段として、断面台形状のガイド部材が、その底面を前記ベルトの裏面側の中央部に接着するようにして、ベルト長さ方向の全長にわたって取り付け、前記ガイド部材と嵌合するガイド溝を、ヘッドプーリやテールプーリ、及び搬送側の前記ベルトを支持するベルト支持部材等に設ける。
【０００６】
そうして、それぞれに設けられている前記ガイド溝に、前記ガイド部材を案内させて、前記ベルトを走行させることにより、走行中の前記ベルトの振れを強制的に抑え、蛇行を防止しているものが知られている。
【０００７】
【発明が解決しようとする課題】
しかしながら、上述のような前記ベルトコンベヤにおいて、前記立上り屈曲部での前記ベルトの浮き上がりを防止するには、前記ベルトを、搬送物を積載する中央部分を避けるようにして押さえなければならない。即ち、上記のように、前記ベルトの両側縁部を押さえることにより、前記ベルトの浮き上がりを防止しなければならない。
【０００８】
従って、前記ベルトの両側縁部に力が集中するため、前記一対のプーリ本体の外周面と直接接触する前記ベルトの表面層が痛んで磨耗しやすくなる。そして、前記表面層の磨耗が進展し帆布まで達すると、前記帆布の一部が切断し前記ベルト強力が低下することにより、記縁部が折れ曲がり前記一対のプーリ本体の外周面から外れることで、前記ベルトが浮き上がることがある。
【０００９】
さらに、前記縁部の磨耗が進展すると、前記ベルト縁部の一部が完全に欠落した状態となり、前記一対のプーリ本体では押さえきれず、前記ベルトが浮き上がる場合もある。
【００１０】
また、ベルトジョイント部が剥離するという問題が発生することもある。
【００１１】
そして、搬送物が、かさ比重の軽い飛散しやすいものであって、前記ベルトに付着しやすいものである場合、例えば、フレーク状に破砕されたペットボトルのように、静電気を帯びやすいプラスチック片である場合には、飛散した搬送物が、静電気により前記ベルト裏面側の前記ガイド部材に付着することがある。
【００１２】
これによって、前記ガイド部材は、前記ガイド溝への収まりが悪くなり外れやすくなるため、走行中の前記ベルトが安定せず蛇行することがある。
【００１３】
そこで本発明者は、ベルトに付着しやすい搬送物を搬送し、下部搬送部に続き、立上り屈曲部を経て急傾斜で立ち上がる傾斜部を有しているベルトコンベヤで、ベルトの縁部を損傷させることなく、立上り屈曲部での前記ベルトの浮き上がりを抑えることができ、且つ前記ベルトを蛇行することなく安定して走行させることができるベルトコンベヤを提供することを目的とする。
【００１４】
【課題を解決するための手段】
上記の目的を達成するために請求項１記載のベルトコンベヤは、コンベヤベルトに付着しやすい搬送物等を搬送し、下部搬送部に続いて、立上り屈曲部を経て急傾斜で立ち上がる傾斜部を有しているベルトコンベヤであって、前記ベルトの搬送面側の両側縁部に、断面山型のガイド部材を、ベルト長さ方向に連続して設け、前記立上り屈曲部の両側のフレームに、前記ガイド部材の上面に当接するように押さえローラを取り付け、
前記下部搬送部と傾斜部との両側のフレームにあって、少なくとも前記立上り屈曲部近傍に、前記ガイド部材の内側斜面に当接するようにガイドローラを取り付けるとともに、前記ベルトを挟んで、前記ガイドローラの反対側に、前記ベルトの裏面に当接するベルト支持部材を取り付けることを特徴とする。
【００１５】
上記のような請求項１にかかるベルトコンベヤによれば、前記立上り屈曲部の両側のフレーム取り付けられた前記押さえローラを、前記ガイド部材の上面に当接することにより、前記押さえローラを、前記ベルトの搬送面側の縁部に直接接触させることなく、前記ベルトの浮き上がりを防止することができる。
【００１６】
そして、前記ガイドローラとベルト支持部材とで、前記ベルトの縁部と前記ガイド部材とを挟み込むようにすることにより、前記ガイドローラの外周面を、常に、前記ガイド部材の内側斜面に当接させておくことができる。
【００１７】
これにより、前記ベルトの両側の前記ガイド部材は、前記ベルトの幅方向外側にそれぞれが押された状態となるため、前記ベルトの幅方向の移動を防止することができる。
【００１８】
なお、前記ベルト支持部材として、鉄板等の板材や、軸の両端部を両側のフレームに取り付けたブラケットに支持された１本のローラを用いても良い。また、両側の各フレームに設けられているブラケットに、ベアリングが取り付けられた軸を支持させ、この各ベアリングで前記ベルトの両側縁部をそれぞれ支持させるようにしたものを使用することもできる。
【００１９】
そして、前記板材や１本のローラ、ベアリングなどが金属製である場合には、表面に合成樹脂を被覆しておくと、前記ベルトとの滑りが良くなり、磨耗しにくくなる。さらに、前記ベルトを磨耗させにくくすることができる。
【００２０】
また、前記板材や１本のローラ、ベアリングなどが非導電性である場合には、表面に導電性樹脂で形成された層を被覆しておくと、静電気を帯び易い搬送物を搬送する場合に、飛散した搬送物がこれらに付着することを防止することができる。
【００２１】
請求項２記載のベルトコンベヤは、前記ベルトの搬送面であって、両側のガイド部材の間に、ベルト幅方向の横桟を、前記ベルトの長さ方向に所定の間隔で複数設けることを特徴としている。請求項２にかかるベルトコンベヤによれば、前記ベルトに前記横桟を設けることにより、傾斜部の勾配が急な場合でも、搬送物が滑り落ちることなく、前記立上り屈曲部での搬送物の滞留や荷こぼれを防ぐことができる。
【００２２】
請求項３記載のベルトコンベヤは、押さえローラの外周面を、平坦に形成することを特徴としている。請求項３にかかるベルトコンベヤによれば、前記ガイド部材の上面に、飛散した搬送物が付着している場合、その搬送物の付着している部分が前記押さえローラを通過する際に、前記ガイド部材の上面と前記押さえローラの外周面との間から、前記付着した搬送物を押し出しやすくなる。
【００２３】
従って、前記ガイド部材と押さえローラとの間の搬送物の噛み込みを防ぐことができる。
【００２４】
請求項４のベルトコンベヤは、金属材料よりなる前記押さえローラまたは記ガイドローラの少なくとも一方の外周面に、合成樹脂を被覆することを特徴としている。請求項４にかかるベルトコンベヤによれば、金属材料よりなる前記押さえローラやガイドローラの外周面に、合成樹脂を被覆することにより、前記ガイド部材との滑りが良くなり、前記ガイド部材の磨耗を防止することができる。
【００２５】
なお、前記合成樹脂として、ナイロンやポリエチレン、ポリプロピレン等を用いることができる。
【００２６】
請求項５のベルトコンベヤは、非導電性材料よりなる前記押さえローラまたは前記ガイドローラを用いる場合であって、その外周面に、静電気を排除することができる導電性樹脂を被覆することを特徴としている。請求項５にかかるベルトコンベヤによれば、ナイロンやポリエチレン及びポリプロピレン等の非導電性材料よりなる前記押さえローラやガイドローラの外周面に、導電性樹脂を被覆することにより、搬送物が静電気を帯び易いものである場合、飛散した搬送物の付着を防止することができる。
【００２７】
請求項６のベルトコンベヤは、フレーク状に破砕されたプラスチック成形品を搬送するものであることを特徴としている。請求項５のベルトコンベヤによれば、フレーク状に破砕されたプラスチック成形品の搬送に用いると、静電気を帯びやすい破砕されたプラスチック成形品が、前記ベルトやガイド部材等に付着した場合でも、前記ベルトは、蛇行することなく走行するため、破砕されたプラスチック成形品の安定した搬送を行うことができる。
【００２８】
【発明の実施の形態】
本発明にかかるベルトコンベヤの実施の形態について図１〜４に基づいて以下に説明する。
【００２９】
図１は、本発明にかかるベルトコンベヤの実施例を示す概念図（幅方向中心断面）であり、図２は、本発明にかかるベルトコンベヤの実施例を示す下部搬送部及び傾斜部の幅方向の部分断面であって、ガイドローラの取り付け状態を示している。
【００３０】
また図３は、本発明にかかるベルトコンベヤの実施例を示す立上り屈曲部の幅方向の部分断面図であって、押さえローラの取り付け状態を示し、図４は、本発明にかかるベルトコンベヤの他の実施例を示す下部搬送部及び傾斜部の幅方向の部分断面であって、ガイド部材の別の実施例を示している。
【００３１】
本実施例のベルトコンベヤ１は、図１に示すように、水平に設けた下部搬送部５に続いて、立上り屈曲部３を経て急傾斜で立ち上げた傾斜部７を有しているものである。
【００３２】
そして、下部搬送部５のテールプーリ２寄りに、搬送物をベルトに載せ込む投入用ホッパー６が配置されており、傾斜部７の先端部には、搬送物を排出するヘッドシュート８が設けられている。
【００３３】
また、ポリエステル帆布を芯体とし、この芯体にポリウレタンシート等弾性体を積層して形成されている無端のベルト９が、下部搬送部５の後端部に設けられているテールプーリ２と、傾斜部７の先端部に設けられているヘッドプーリ４とに、立上り屈曲部３で所定の曲率で曲げられ架け回されている。
【００３４】
そして、ベルト９の搬送面側の両側縁部（図２参照）に、ガイド部材１０がベルト長さ方向の全周に連続して設けられている。また、ベルト９の搬送面の両側のガイド部材１０の間には、下端部に板状の取付ベース１１ａが形成されている板状の横桟１１が、ベルト９の搬送面に対して垂直方向に向けて、ベルト長さ方向に等間隔で全周にわたり取り付けられ、傾斜部７での搬送物の滑り落ちを防止している。
【００３５】
立上り屈曲部３には、複数の押さえローラ１２が、軸芯が同じ円弧上に位置するようにして配置されており、これらの押さえローラ１２に、ガイド部材１０の上面が接触した状態となっている。一方、戻り側のベルト９は、複数のローラ１３により、搬送側のベルト９と同じ曲率で湾曲させられている。
【００３６】
また、前記立上り屈曲部付近の、下部搬送部５と傾斜部７とには、搬送側のベルト９の縁部をガイド部材１０とともに挟み込むようにして、ガイドローラ１４とベルト支持ローラ１５とが設けられている。
【００３７】
図２に示すように、ベルト９の両側の縁部に設けられているガイド部材１０は例えばポリウレタンで形成され、断面山型に形成されているガイド部１０ｂを備えている。ガイド部１０ｂは、ベルト９の裏面との接着面積を広くするため、その底部の両側を板状に伸ばして形成し、取付片１０ａが設けられている。
【００３８】
また、両側のガイド部材１０の間に取り付けられている横桟１１もまた、ポリウレタンを用いて形成されており、横長の略矩形の形状を有している。
【００３９】
このように構成されているベルト９の両側のガイド部材１０にはそれぞれ、内側斜面１０ｃにガイドローラ１４の外周面が当接している。このガイドローラ１４は、軸をベルト９の幅方向に対して傾斜を持たせた状態で、フレーム１６に取り付けられているブラケット１７に支持されており、外周面が、ガイド部材１０の内側斜面１０ｃとほぼ一致するような傾斜角度となっている。（例えば、内側斜面１０ｃは約６０°、ガイドローラ１４の外周面は約３０°）
そして、ベルト９を挟んで、このガイドローラ１４の反対側に、ベルト支持ローラ１５が、軸をベルト９の幅方向と平行な状態にしてブラケット１７に支持されている。このベルト支持ローラ１５は、外周面が、ガイド部材１０が取り付けられている面と、反対側のベルト９の裏面に当接した状態となっている。
【００４０】
このようにして、ガイドローラ１４とベルト支持ローラ１５とで、ガイド部材１０とベルト９とを挟み込むようにすることで、ガイドローラ１４の外周面を常に、ガイド部材１０の内側斜面１０ｃに当接させておくことができる。
【００４１】
従って、両側のガイド部材１０は、ベルト９の幅方向外側にそれぞれが、押された状態となっているため、ベルト９は幅方向の振れが矯正されつつ走行することとなる。
【００４２】
これにより、フレーク状に破砕されたペットボトル等のプラスチック成形品を搬送する場合、飛散したフレーク状の搬送物が、静電気によりガイド部１０の内側斜面１０ｃに付着した場合でも、ガイドローラ１４は、ガイド部１０ｂから外れたりすることがないため、ベルト９は蛇行することなく走行する。
【００４３】
また、ガイドローラ１４やベルト支持ローラ１５の外周面には、合成樹脂が被覆されているためガイド部材１０との滑りが良く、ガイド部材１０を磨耗させにくいものとなっている。
【００４４】
そして、ガイドローラ１４やベルト支持ローラ１５が、プラスチック等の非導電性材料で構成されているものである場合、外周面に導電性樹脂を被覆しておくことで、静電気を帯びやすい上記搬送物が、ガイドローラ１４やベルト支持ローラ１５の外周面等へ付着することを防止できる。
【００４５】
また、ブラケット１７が取り付けられているフレーム１６には、両側に側板１８が取り付けられており、側板１８の上部にブラケット１７の上方を覆うような天板１９が設けられ、天板１９の先端部には、横桟１１とガイドローラ１４との間を隔てるようなスカート部材２０が鉛直方向に設けられている。
【００４６】
一方、図３に示すように、押さえローラ１２は、外周面が平坦に形成されているもので、軸をベルト９の幅方向に対して平行にした状態で、両側のフレーム１６に取り付けられているブラケット２１にそれぞれ支持されている。
【００４７】
この押さえローラ１２は外周面が、ガイド部材１０のガイド部１０ｂ上面に当接する状態となっている。この押さえローラ１２の外周面には、合成樹脂が被覆されているためガイド部材１０との滑りが良く、ガイド部材１０を磨耗させにくいものとなっている。
【００４８】
また、押さえローラ１２がプラスチック等の非導電性材料で構成されているものである場合には、外周面に、導電性樹脂を被覆しておくと、破砕されたプラスッチク成形品のような、静電気を帯び易い搬送物の付着を防止することができる。
【００４９】
なお、押さえローラ１２は、本実施例のように外周面が平坦に形成されたものの他に、ガイド部材１０の上部と緩やかに噛み合うようなＶ字状の溝を、外周面全周に形成したものを用いることもできる。
【００５０】
このようなＶ字状の溝を外周面に形成することにより、立上り屈曲部３でのベルト９の幅方向の振れを抑えることができる。
【００５１】
また、本実施例においてガイド部材１０は、上面を凸状に湾曲させた山型としているが、これに限るものではなく、例えば、図４（ａ）に示すように、ガイド部１０ｂの断面形状が、山型の上面を平坦に形成した略台形状のものを用いることもできる。
【００５２】
このようなガイド部１０ｂを有したガイド部材１０を用いると、図４（ｂ）に示すように、押さえローラ１２の外周面とガイド部１０ｂの上面とが線接触するようになり、押さえローラ１２で強く押さえられた場合でも、ガイド部１０ｂは大きな変形を伴うことなく、押さえローラ１２を支持することができる。
【００５３】
【発明の効果】
請求項１記載のベルトコンベヤは、押さえローラでガイド部材を押さえるようにして、立上り屈曲部でのベルトの浮き上がりを防止するため、押さえローラがベルトに直接接触することがない。このため、ベルトの両側縁部の表面層が磨耗して損傷することがなく、長期間使用することができ、ベルト交換の手間を省くとともに、交換部品のコストを抑えることができる。
【００５４】
また、両側のガイドローラが常に、ガイド部材の内側斜面に当接しているため、ベルトの幅方向の振れを強制的に抑え、ベルトの蛇行を確実に抑えることができる、安定した搬送状態を維持することができる。
【００５５】
従って、搬送物がベルトの片側に偏った状態で積載されている場合でも、ベルトが片寄って走行することがないため、投入シュートの角度や位置の設計に幅を持たせることができる。
【００５６】
そして、押さえローラとガイドローラ及びベルト支持部材との効果と相まって、立上り屈曲部でのベルトの走行が安定し、搬送物をスムーズに運び上げることができる。
【００５７】
請求項２記載のベルトコンベヤは、ベルトのカイド部材の間に、横桟を複数設けることにより、傾斜部での搬送物の滑り落ちが防止され、傾斜部の傾斜角度が急な場合でも、立上り屈曲部で搬送物を滞留させることなく確実に運び上げることができるため、搬送物を下流側の装置へ安定して供給することができる。
【００５８】
請求項３記載のベルトコンベヤは、押さえローラの外周面を平坦にすることで、立上り屈曲部において、ベルトが幅方向に若干振れた場合でも、確実にカイド部材を押さえ付けておくことができるため、立上り屈曲部でのベルトの浮き上がりが全くなく、ベルトを常に安定した状態で走行させることができる。従って、立上り屈曲部での搬送をスムーズに行うことができる。
【００５９】
請求項４記載のベルトコンベヤは、ガイド部材が磨耗しにくいため、長期間にわたりベルトを安定して走行させることができる。また、ベルトを長期間使用することができるため、ランニングコストを抑えることができる。
【００６０】
請求項５記載のベルトコンベヤは、外周面を導電性樹脂で被覆することにより、飛散した静電気を帯び易い搬送物が、外周面等に付着することがない。従って、押さえローラやガイドローラは、搬送物が噛み込んだり巻き付いたりすることによる回転不良等の不具合が発生することがなく、長期間正常な回転を維持することができるため、長期間にわたり使用することができ部品交換の手間を省くことができる。
【００６１】
また、押さえローラやガイドローラは、回転不良で停止することがないため、ガイド部材やベルトを擦って傷めるようなこともない。
【００６２】
請求項６記載のベルトコンベヤは、フレーク状に破砕されたプラスチック成形品の搬送に用いると、飛散した搬送物が、ガイド部材等に付着しても、ベルトは蛇行することなく走行するため、常に安定した搬送状態を維持でき、処理の効率化を図ることができる。
【００６３】
また、立上り屈曲部において、ベルトの蛇行や浮き上がりがないため、搬送物をスムーズに運び上げることができ、高い位置に設置されている装置や、高い位置に投入口が設けられている装置への供給を安定して行うことができる。
【図面の簡単な説明】
【図１】本発明にかかるベルトコンベヤの実施例を示す概念図（幅方向中心断面）である。
【図２】本発明にかかるベルトコンベヤの実施例を示す立上り屈曲部の幅方向の部分断面図である。
【図３】本発明にかかるベルトコンベヤの実施例を示す下部搬送部及び傾斜部の幅方向の部分断面図である。
【図４】本発明にかかるベルトコンベヤの他の実施例を示す下部搬送部及び傾斜部の幅方向の部分断面図である。
【符号の説明】
１  ベルトコンベヤ
３  立上り屈曲部
５  下部搬送部
７  傾斜部
９  コンベヤベルト
１０  ガイド部材
１４  ガイドローラ
１５  ベルト支持ローラ
１６  フレーム
１０ｃ  内側斜面
２１  押さえローラ
【図１】
0003705594.tif 000002
【図２】
0003705594.tif 000003
【図３】
0003705594.tif 000004
【図４】
0003705594.tif 000005